(57)【特許請求の範囲】
【請求項１】
扱胴（１）に並設したフィードチェン（２）の終端部から脱粒された排稈を機体後方に斜搬送する搬送体（Ａ）を連設したコンバインの排藁搬送装置において、後部フレーム（７）に設けた縦軸（１５）に回動レバー（１６）と揚上カム（１１）を装着し、該縦軸（１５）回りのレバー回動操作で前記揚上カム（１１）のカム面に掛合するフック板（１０）を引き上げ、該フック板（１０）と連結した排藁チェン（３）の始端側を上下動させる揚上装置（８）の構成にしたことを特徴とするコンバインの排藁搬送装置。
【請求項２】
揚上カム（１１）を装着した縦軸（１５）に回動レバー（１６）を装着し、搬送体（Ａ）が上動した拡張位置（１７）で扱胴カバー（６２）に前記回動レバー（１６）が接当して該扱胴カバー（６２）の装着を阻止し、搬送状態の挟着位置（２０）で前記回動レバー（１６）をカバー内に収設し、扱胴カバー（６２）の装着を可能にしたことを特徴とする請求項１に記載したコンバインの排藁搬送装置。
【発明の詳細な説明】
【０００１】
【発明の属する技術分野】
本発明は、脱粒後の排稈をフィードチェンから排藁チェンに受継がせ機体後方に斜搬送するコンバインの排藁搬送装置に関するものである。
【０００２】
【従来の技術】
従来、フィードチェンに対して斜搬送する排藁チェンの受継では、搬送方向が屈折する変化をともない詰まりや稈抜けが発生し易くなるために、排藁チエンの始端側から上方に突設させたロッドを装設し、各ガイド孔で該ロッドを上下に相通案内する支持板をフレームに設け、該ロッドに設けたフランジに接当するコイルバネを支持板間に介在させて前記ロッドを上昇側に付勢し、上部ケースを閉じるにともない排藁チエンが押し下げられて作用姿勢になる排藁挟持搬送装置が特開平１０-０５２１５８号公報に開示されている。又、排藁室の床面に弾持した排藁ガイド棒に対して、排藁カバーとともに回動する搬送体に連動して排稈を挟持する搬送状態と、詰り稈の除去や整備を行う拡張状態に回動する公知技術が実開昭５８−１４３５４０号公報に記載され、更に、脱穀枠から後方に延設したフレームの後端で排藁搬送装置を支持した穂部フレームと連結し、回動支点を構成して排藁チェンが上下動する搬送状態と拡張位置の２箇所で固定するものが特開平１０−９８９３６号公報に開示されている。
【０００３】
【発明が解決しようとする課題】
従来技術の排藁チェンが上下動する回動支点はフレーム枠の後端であったり、受継ぎ部の反対側が回動支点になる開閉構造であって、開閉する操作労力を要するとともに排藁チェンの中央にガイド棒を沿うように設置するが、位置ずれを生じてチェンプレートの内面に前記ガイド棒が圧接され、搬送中にはみ出したり磨耗が進行する問題点がある。
【０００４】
このような問題点を解決するために、排藁チェンの受継ぎ部近傍で上下動する位置ずれを規制する案内体を設けて搬送体の誘導を正確に行うとともに、後部フレームと排藁チェン台の間に揚上装置を設け、回動レバーの操作に連動して上下動させる拡挟調節手段を装備し、簡単なレバー操作で正確な上下動を行う排藁搬送装置の提供を目的とするものである。
【０００５】
【課題を解決するための手段】
排藁チェンの始端側に上下動させる案内体と垂直方向に上動させる揚上装置を併設し、操作労力の軽減と排藁ガイド棒に排藁チェンを正しく誘導する揚上装置を装備した排藁搬送装置である。
【０００６】
後部フレームに設けた縦軸に回動レバーと揚上カムを装着し、該縦軸回りのレバー操作で前記揚上カムのカム面に掛合するフック板を引き上げ、該フック板と連結した排藁チェンの始端側を上下動させる揚上装置を装備する手段を講じたものである。
【０００７】
揚上カムを装着した縦軸に回動レバーを装着し、搬送体が上動した拡張位置で扱胴カバーの段差部に前記回動レバーが接当して該扱胴カバーの装着を阻止し、搬送状態の挟着位置で前記回動レバーをカバー内に収設し、扱胴カバーの装着を可能にしてロック忘れを防止する手段を講じたものである。
【０００８】
【発明実施の形態】
【実施例】
本発明による排藁チェンを上下動させる排藁搬送装置について、図６のコンバインに搭載した脱穀部の後方平面図と、図７の側面図の実施例図で説明すると、扱歯２２を植設した扱胴１を回転自在に扱室２３に装架し、並設したフィードチェン２で刈取穀稈を搬送しながら脱粒処理をするものであって、脱粒後の排稈を斜搬送する排藁チェン３と穂先側に設けた搬送ベルト２５で構成した搬送体Ａに受継ぎ、機体後方に装着したカッター部３０に供給する排藁搬送装置である。その装着構成は、扱室２３の後壁３１に連結した後部フレーム７を排藁室６の上方に逆コの字型に配置させ、終端を門形フレーム３２に締結して前記排藁室６を形成するフレーム構造にしたものである。このような後部フレーム７に前記搬送体Ａを吊設し、搬送ベルト２５と排藁チェン３を巻回するベルトケース３３とチェン台３５の後方を支軸３６で連結し、軸端に回動自在のメタル３７を設けて支点P−Pを形設するとともに、排藁チェン３が拡挟する始端側に案内体５と搬送体Ａを上動させる揚上装置８を前記後部フレーム７から吊設したものである。
【０００９】
排藁チェン３の駆動は、扱胴１の軸端に設けた駆動プーリ３８から揚上装置８に吊設されたべベルケース４０の従動プーリ４１に入力し、前記排藁チェン３の搬送側が後方に移動する回転が付与されて排稈を斜搬送をするものである。又、非作用側の排藁チェン３に噛合させたスプロケット４２に連動して、連結ケース４３を介し並設した搬送ベルト２５の始端側に再入力して同方向の回転をさせ、排稈を搬送体Ａで挟持しながら斜搬送する排藁搬送装置である。
【００１０】
図１は、搬送体の上下動構造を示す側面図であって、図２に示す平面図を併用して案内体と揚上装置の構成を説明すると、従動プーリ４１を設けたべベルケース４０から逆L字形のフック板１０を上方に延設し、揚上カム１１のカム面に掛合させて排藁チェン３を吊設したものであって、前記フック板１０が谷面１２で押さえ板１３に挟着された図示する位置から、回動レバー１６の操作を矢印イ方向に旋回させると、斜上するカム面Ｘ−Ｙの起点Ｘに前記フック板１０の端面が到達し、頂点Ｙに向けて排藁チェン３を順次引き上げるようにした揚上装置８の構成である。尚、チェン台３５とベルトケース３３は連結ケース４３で一体化して搬送体Ａを構成したものであり、搬送ベルト２５も同時に上動する排藁搬送装置である。
【００１１】
このような揚上装置８と併設した案内体５の構造は、後部フレーム７の屈曲部に渡架した補強パイプ４７を挟んで前後に装着してあり、固着したブラケット４８に誘導コマ５０を嵌着させ、中央に穿孔した摺動孔５２に搬送体Ａから揺動自在に装着した誘導杆５１を挿通し、前記揚上装置８による上下動にともない矢印ロ方向に摺動して、排藁ガイド棒２１に対して排藁チェン３が接近した搬送状態から、離反した拡張位置に上動する搬送体Ａを正しく誘導する構成にしたものである。又、逆Ｔ字型にした誘導杆５１の両端は、連結ケース４３の両側から突設させた支持板５３に螺着して、搬送ベルト２５と排藁チェン３の双方を上下動させる搬送体Ａの構成である。
【００１２】
図３は揚上装置の要部側面図であって、図２を併用して排藁チェンのロック装置を説明すると、排藁ガイド棒２１に排藁チェン３が接近する搬送状態を確持するために、揚上カム１１の谷面１２にフック板１０が掛合する図示位置において、前記フック板１０の上面を押え板１３が押圧する図示鎖線の配置にして、搬送体Ａをロックするとともに回動レバー１６をロック解除位置１９に旋回させると、斜上するカム面の起点Ｘに前記フック板１０の前端が接当し始め、同時に前記押え板１３がフック板１０の後端から外れて挟着力が開放され、カム面Ｘ−Ｙを斜上する上動作用に移行するようにしたロック装置である。
【００１３】
図４は、回動レバー位置と揚上カム面の移動を示す平面図であって、搬送ベルト２５と排藁チェン３で形成した搬送体Ａを上下動させる回動レバー１６の操作位置に対し、揚上カム１１の斜上するカム面Ｘ−Ｙの移動と押え板１３の関連位置は、前記搬送体Ａをロックする挟着位置２０でカム面Ｘ−Ｙは図示するa位置であって、谷面１２にフック板１０が掛合して上方に前記押え板１３が重合した配置である。次に移行したロック解除位置１９では、前述するようにカム面Ｘ−Ｙはｂ位置に移動し、起点Ｘに前記フック板１０の前端が接当し始めると同時に前記押え板１３がフック板１０の後端から外れる配置にしてある。更に、カム面Ｘ−Ｙがｃ位置に移動した拡張位置１７では、フック板１０がカム面の頂点Ｙを通過して搬送体Ａの上動が完了したレバー配置にしたものである。
【００１４】
揚上装置の取付を図２と図３で説明すると、後部フレーム７に渡架した補強パイプ４７に軸受け４６を設け、縦軸１５を挿通させた上側の軸端に回動レバー１６を固設し、その下側に揚上カム１１を嵌着してフック板１０と掛合させるとともに、これを挟着する押え板１３を重合させる配置に固着し、上下の軸端にセットボルト５７を設けて縦軸１５を回動自在に装着した取付構造であって、矢印イ方向のレバー操作によって搬送体Ａが上下動し、下動時の搬送状態をロック可能の構成にしたものである。
【００１５】
図５は、搬送体が上動した側面図であって、排藁ガイド棒２１に排藁チェン３が接近する搬送状態を回動レバー１６の操作に連動して、揚上装置８が搬送体Ａを上動させて前記排藁ガイド棒２１に対し、拡張角度θの拡張位置に案内体５が排藁チェン３を誘導した状態を鎖線で図示したものである。このような上下動をさせる前記案内体５と揚上装置８の双方を補強パイプ４７の前後に併設し、排藁チェン３を正しく誘導するようにした排藁搬送装置である。
【００１６】
図８は、支点Ｐ−Ｐを断面した正面図であって、後部フレーム７から吊設したメタル３７に支軸３６を嵌挿させ、左端に排藁チェン３を捲回したチェン台３５を螺着し、一方の右側に搬送ベルト２５の終端に設けた転輪２６を回転自在に装着して搬送体Ａの支点Ｐ−Ｐを排藁室６の後方に形成したものである。又、排稈を斜搬送する作用側には、排藁ガイド棒２１と穂部ガイド棒２７を各々並設して穂部側と稈元側を挟扼しながら搬送する構成にしてある。尚、排藁ガイド棒２１は下面５５に設けたバネ２８で弾持され、搬送量に応じて矢印ハ方向に降下する構成にしたものである。
【００１７】
図９は回動レバー位置と扱胴カバーの形状を示す側面図であって、図１０に示す要部の後面図を併用して回動レバーの操作位置に対する扱胴カバーの配置を説明すると、扱室２３よりも後方に扱胴カバー６２を延設して同形状の排藁カバー１８を連設した分割構成にしたものであり、その中央に膨出部６３を設けた断面形状にして回動レバー１６が収設され挟着位置２０が確持された搬送状態である又、藁押え台６７と一体に開閉する前記扱胴カバー６２は、前側に設けた回動支点６６を中心に矢印ニ方向に開閉する構成にしてある。
【００１８】
回動レバー１６の操作が挟着位置２２である場合は、前述したように扱胴カバー６２や排藁カバー１８の膨出部６３にレバー先端が隙間をもって収設されるが、矢印イ方向に操作したロック解除位置１９や拡張位置１７では、前記レバー先端が膨出部６３から段差面６５側に移動して、開放した前記扱胴カバー６２を閉じようとすると前記段差部６５にレバー先端が接当し、図示する鎖線位置に浮上り取付できない構成にしたものであって、ロック忘れのレバー操作を事前に感知して詰り等の予防処置をしたものである。
【００１９】
図１１は、回動レバーと排藁カバーの配置を示す別途の実施例図であって、回動レバー１６の旋回軌跡が小さく排藁カバー１８の下方に装備された構成においては、挟着位置２０にした回動レバー１６の先端と藁カバー１８間に間隙を有するが、旋回操作をしたロック解除位置１９と拡張位置１７では前記排藁カバー１８の段差部６５と接当し鎖線で図示する如く浮上り、後部フレーム７から突設した支持座６０に対してノブボルト６１で装着できず、前記挟着位置２０に戻すロック操作の忘れを排藁カバー側で事前に感知するようにした別途実施例の構成である。
【００２０】
【発明の効果】
排藁チェンの受継ぎ部近傍に上下動する搬送体の案内体と、上動させる揚上装置を併設して、拡挟移動を正しく行うとともに揚上操作を容易にした排藁搬送装置にしたので以下に掲げるような効果を発揮するものである。
【００２１】
後部フレームに設けた縦軸に回動レバーと揚上カムを装着し、該縦軸回りのレバー回動操作で前記揚上カムのカム面に掛合するフック板を引き上げ、該フック板と連結した排藁チェンの始端側を上下動させる揚上装置を装備したので、前記回動レバーの旋回軌跡を大きく設定して揚上力を増加させ、手動によって排藁チェンを引揚げる操作力を軽減することができた。
【００２２】
揚上カムを装着した縦軸に回動レバーを装着し、搬送体が上動した拡張位置で扱胴カバーに前記回動レバーが接当して該扱胴カバーの装着を阻止し、搬送状態の挟着位置で前記回動レバーをカバー内に収設し、扱胴カバーの装着を可能にしたので、回動レバーのロック忘れが感知され、操作ミスが事前に防止できた。
【図面の簡単な説明】
【図１】  搬送体の上下動構造を示す側面図である。
【図２】  搬送体の上下動構造を示す平面図である。
【図３】  揚上装置の要部側面図である。
【図４】  回動レバー位置と揚上カム面の移動を示す平面図である。
【図５】  搬送体が上動した側面図である。
【図６】  コンバインに搭載した脱穀部後方の平面図である。
【図７】  コンバインに搭載した脱穀部後方の側面図である。
【図８】  搬送体の支点を断面した正面図である。
【図９】  回動レバー位置と扱胴カバー形状を示す側面図である。
【図１０】  回動レバーと扱胴カバーの配置を示す後面図である。
【図１１】  回動レバーと排藁カバーの配置を示す別途実施例図である。
【符号の説明】
Ａ・・搬送体          Ｂ・・脱穀部            Ｐ・・支点
Ｘ・・カム面の起点    Ｙ・・カム面の頂点      θ・・拡張角度
１・・扱胴            ２・・フィードチェン    ３・・排藁チェン
５・・案内体          ６・・排藁室            ７・・後部フレーム
８・・揚上装置      １０・・フック板        １１・・揚上カム
１２・・谷面          １３・・押え板          １５・・縦軸
１６・・回動レバー    １７・・拡張位置        １８・・排藁カバー
１９・・ロック解除位置２０・・挟着位置        ２１・・排藁ガイド棒
２３・・扱室          ２５・・搬送ベルト      ３０・・カッター部
３２・・門形フレーム  ３３・・ベルトケース    ３５・・チェン台
３６・・支軸          ３７・・メタル          ４０・・ベベルケース
４３・・連結ケース    ４６・・軸受け          ４７・・補強パイプ
４８・・ブラケット    ５０・・誘導コマ        ５１・・誘導杆
５３・・支持板        ５５・・下面            ６２・・扱胴カバー
６３・・膨出部        ６５・・段差部          ６６・・回動支点
矢印（イ）・・回動レバーの操作方向
矢印（ロ）・・案内体に設けた誘導杆の摺動方向
矢印（ニ）・・扱胴カバーの開閉方向
【図１】
0003971208.tif 000002
【図２】
0003971208.tif 000003
【図３】
0003971208.tif 000004
【図４】
0003971208.tif 000005
【図５】
0003971208.tif 000006
【図６】
0003971208.tif 000007
【図７】
0003971208.tif 000008
【図８】
0003971208.tif 000009
【図９】
0003971208.tif 000010
【図１０】
0003971208.tif 000011
【図１１】
0003971208.tif 000012